(57)【要約】  【課題】梱包に用いる緩衝部材を、発泡スチロールを用いずに段ボール材を用いて構成し、リサイクルに適した梱包部材を提供すること。  【解決手段】本発明にかかる緩衝部材は、物品の周囲に配置してその物品を衝撃などから保護するために用いる緩衝部材であって、段ボール材で形成した筒状部材に、段ボール材で形成した充填部材を充填した。このような緩衝部材を、段ボール材で形成した梱包部材の内面の複数箇所に固着して、物品を保護する。【選択図】      図１
2007204071.tif 000002
【特許請求の範囲】
【請求項１】
物品を収納する収納箱内で当該物品の周囲に配置してその物品を衝撃などから保護するために用いる緩衝部材であって、段ボール材で形成した筒状部材に、段ボール材で形成した充填部材を充填してなることを特徴とする緩衝部材。
【請求項２】
充填部材は、
長方形状の段ボール材を蛇腹状に折り畳んで形成したことを特徴とする請求項１に記載の緩衝部材。
【請求項３】
筒状部材は、
長方形状の段ボール材を、その一辺側から箱状に折り曲げて形成し、
充填部材は、
前記長方形状の段ボール材を、その他辺側から蛇腹状に折り畳んで形成し、
前記折り畳んで形成した充填部材を、前記折り曲げて形成した筒状部材内に収納して充填したことを特徴とする請求項１に記載の緩衝部材。
【請求項４】
充填部材は、
段ボール材の中間層の波状構造の方向に直交する方向に蛇腹状に折り畳んで形成したことを特徴とする請求項２、３の何れか１項に記載の緩衝部材。
【請求項５】
物品を梱包するために用いる梱包部材であって、
物品と梱包部材との間に、
段ボール材で形成した筒状部材に、段ボール材で形成した充填部材を充填してなる緩衝部材を配置したことを特徴とする梱包部材。
【請求項６】
充填部材は、
長方形状の段ボール材を蛇腹状に折り畳んで形成したことを特徴とする請求項５に記載の梱包部材。
【請求項７】
筒状部材は、
長方形状の段ボール材を、その一辺側から箱状に折り曲げて形成し、
充填部材は、
前記長方形状の段ボール材を、その他辺側から蛇腹状に折り畳んで形成し、
前記折り畳んで形成した充填部材を、前記折り曲げて形成した筒状部材内に収納して充填したことを特徴とする請求項５に記載の梱包部材。
【請求項８】
充填部材は、
段ボール材の中間層の波状構造の方向に直交する方向に蛇腹状に折り畳んで形成したことを特徴とする請求項６、７の何れか１項に記載の梱包部材。
【発明の詳細な説明】
【技術分野】
【０００１】
本発明は、商品などの物品を梱包する際に、その物品を衝撃などから保護するために用いる緩衝部材および梱包に用いる梱包部材に関するものである。
【背景技術】
【０００２】
従来より、段ボール材を用いた梱包部材には、梱包する物品を保護するために発泡スチロール製の緩衝部材を、段ボール材の要所に接着、もしくは嵌着して用いることある。（例えば、特許文献１、２を参照。）
【０００３】
【特許文献１】特開平５−１４７６７４号公報
【特許文献２】実開平６−６５２６９号公報
【発明の開示】
【発明が解決しようとする課題】
【０００４】
ところが、上述した特許文献１、２に記載の緩衝部材（梱包装置）は発泡スチロールを用いているため、効果的なリサイクルを行うためには段ボール材と発泡スチロールとを分離する必要があり、リサイクルの手間がかかるという問題があった。
【０００５】
そこで、本発明は、発泡スチロールを用いずに段ボール材を用いて緩衝部材を構成すること、および、発泡スチロールを用いずに段ボール材を用いて梱包部材を構成することにより、十分な緩衝機能を備えるとともに、リサイクルにあたって、部材を材質に応じて分離するという手間を要しないようにすることを目的としてなされたものである。
【課題を解決するための手段】
【０００６】
本発明にかかる請求項１の緩衝部材は、
物品を収納する収納箱内で当該物品の周囲に配置してその物品を衝撃などから保護するために用いる緩衝部材であって、段ボール材で形成した筒状部材に、段ボール材で形成した充填部材を充填してなることを特徴としている。
請求項２では、
充填部材は、
長方形状の段ボール材を蛇腹状に折り畳んで形成した。
請求項３では、
筒状部材は、
長方形状の段ボール材を、その一辺側から箱状に折り曲げて形成し、
充填部材は、
前記長方形状の段ボール材を、その他辺側から蛇腹状に折り畳んで形成し、
前記折り畳んで形成した充填部材を、前記折り曲げて形成した筒状部材内に収納して充填した。
請求項４では、
充填部材は、
段ボール材の中間層の波状構造の方向に直交する方向に蛇腹状に折り畳んで形成した。
【０００７】
本発明にかかる請求項５の梱包部材は、
物品を梱包するために用いる梱包部材であって、
物品と梱包部材との間に、
段ボール材で形成した筒状部材に、段ボール材で形成した充填部材を充填してなる緩衝部材を配置したことを特徴としている。
請求項６では、
充填部材は、
長方形状の段ボール材を蛇腹状に折り畳んで形成した。
請求項７では、
筒状部材は、
長方形状の段ボール材を、その一辺側から箱状に折り曲げて形成し、
充填部材は、
前記長方形状の段ボール材を、その他辺側から蛇腹状に折り畳んで形成し、
前記折り畳んで形成した充填部材を、前記折り曲げて形成した筒状部材内に収納して充填した。
請求項８では、
充填部材は、
段ボール材の中間層の波状構造の方向に直交する方向に蛇腹状に折り畳んで形成した。
【発明の効果】
【０００８】
本発明によれば、段ボール材で形成した筒状部材に、段ボール材で形成した充填部材を充填して緩衝部材を構成したので、廃棄するゴミの量が少なくリサイクルに適し、省資源であって、環境への悪影響が少ない。
また、充填部材は、長方形状の段ボール材を蛇腹状に折り畳んで形成し、筒状部材内に収納して充填したので、筒状部材の内側で蛇腹状の充填部材が広がることにより、充填部材が筒状部材から抜け落ち難くなるという効果が得られる。
また、筒状部材は、長方形状の段ボール材を、その一辺側から箱状に折り曲げて形成し、充填部材は、前記長方形状の段ボール材を、その他辺側から蛇腹状に折り畳んで形成し、前記折り畳んで形成した充填部材を、前記折り曲げて形成した筒状部材内に収納して充填したので、緩衝部材全体を連続した段ボール材から構成することが可能となり、製造にあたって裁断加工が容易になるとともに、取り扱いがバラバラにならない。
また、充填部材は、段ボール材の中間層の波状構造の方向に直交する方向に蛇腹状に折り畳んで形成したので、十分な強度の緩衝機能が得られる。
以上のような緩衝部材を用いた段ボール材による梱包部材も同様の効果が得られる。
【発明を実施するための最良の形態】
【０００９】
以下に、本発明にかかる緩衝部材および梱包部材を、その実施の形態を示した図面に基づいて詳細に説明する。
組み立て途中の状態の全体斜視図を示した図１と、その要部拡大斜視図を示した図２において、
１は段ボール材による梱包部材であり、収納対象の物品Ｐの大きさに応じた収納空間を形成するために、十分な大きさの長方形状の素材を、例えば４辺11,12,13,14で同じ方向に折り曲げて、５面15,16,17,18,19で囲まれる箱状の収納空間を形成し、その収納空間に物品Ｐを収納し得るように構成し、緩衝部材２が各面に固着されている。
なお、必要に応じて、段ボール材で、図示しない他の側面を形成して、密閉した箱状の収納空間を形成してもよい。
【００１０】
前記緩衝部材２（２Ａ，２Ｂ）は段ボール材によって形成されている。この緩衝部材２は、収納対象の物品Ｐの重量に応じた強度と大きさの緩衝機能を備えるために、十分な大きさの長方形状の素材を蛇腹状に折り畳んで柱状に形成した充填部材３と、柱状の充填部材３の大きさに応じた大きさの長方形状の段ボール材を箱状に折り曲げて形成した筒状部材４とから構成され、前記筒状部材４内に前記充填部材３を収納して充填することによって形成されている。なお、前記緩衝部材２としては、長さの異なるものを使用することがあるので、仮に長い方の緩衝部材２を緩衝部材２Ａ、短い方の緩衝部材２を緩衝部材２Ｂとしたが、特別の必要が無い限り、長さの長短に関わらず、まとめて緩衝部材２（２Ａ，２Ｂ）と表記した。
【００１１】
このように、前記梱包部材１の各面15,16,17,18,19の内面には、それぞれ１個以上の緩衝部材２（２Ａ，２Ｂ）が、接着剤、糊、テープなどの固着手段を用いて固着されて、１組の梱包部材１が形成されている。
【００１２】
梱包状態の断面図を示した図３に示されているように、物品Ｐと梱包部材１の各面15,16,17,18,19との間には、緩衝部材２（２Ａ，２Ｂ）が介在しているので、図上の上下左右各方向からの衝撃は、各緩衝部材２（２Ａ，２Ｂ）によって緩衝される。図３に示していない部分にも必要に応じて緩衝部材を配設する。
充填部材３は、蛇腹の山状部が連なる面（図面中に矢印Ａで示した面）の強度の方が、蛇腹の側面（図面中に矢印Ｂで示した面）の強度より強い。このため、充填部材３に形成される蛇腹の山状部が連なる面で物品Ｐの重さを支えるように緩衝部材２は配設される。
このようにして、本発明の梱包部材によれば、物品Ｐの周囲に段ボール材による緩衝部材を、必要に応じて適宜配設するので、物品へ加えられる衝撃を緩衝して物品を保護するとともに、緩衝部材も梱包部材もリサイクル容易な段ボール材で構成したので、資源保護の観点からも好ましい。
なお、梱包に用いる収納箱に物品を収納して梱包する際、収納箱の底面となる面に緩衝部材２を配設した後、緩衝部材２の上に物品を載置してもよい。
【００１３】
次に、以上のような優れた効果の得られる梱包部材の組み立て前の状態を説明する。
本発明の梱包部材の組み立て前の状態（展開状態）の斜視図を図４に示し、その要部拡大斜視図を図５に示す。
この図において、
展開状態においては、梱包部材１を構成する各面15,16,17,18,19は、互いに一列状につながった状態の長方形状となっている。
そして、各面15,16,17,18,19には、１個もしくは２個程度の緩衝部材２（２Ａ，２Ｂ）が固着されている。
なお、これらの緩衝部材２（２Ａ，２Ｂ）は、必要に応じて何カ所に固着してもよい。
【００１４】
次に、前記緩衝部材２（２Ａ，２Ｂ）の詳細を説明する。
緩衝部材２（２Ａ，２Ｂ）の斜視図を示した図６と、分解斜視図を示した図７において、
筒状部材４は、連続する４つの長方形状の面を折り曲げて筒状に形成したものである。前記各面は同じ方向（例えば谷折り、もしくは山折り）に折り曲げて筒状に形成する。
前記筒状部材４に充填する充填部材３は、連続する１０の長方形状の面を、交互に逆方向（蛇腹状）に折り畳んだものであり、蛇腹状の状態をさらに押し縮めて前記筒状部材４に差し込んで充填する。
前記筒状部材４の断面の１対の対辺の長さａは、前記充填部材３を構成する各面の折り畳み部間の幅ｃとほぼ同じ長さとし、前記筒状部材４の断面の他の１対の対辺の長さｂは、段ボール材の厚みのほぼ１０倍とする。すなわち、充填部材を構成するために折り畳む面の数をＮとし、段ボール材の厚さをｄとすると、ｂ≒Ｎ×ｄ，ａ≒ｃ  という関係がなりたつ。
【００１５】
前記充填部材３の展開状態の平面図を示した図８において、
展開状態の充填部材３は一枚の長方形状の段ボール材から構成されており、連続する１０の長方形状の面30,31,32,33,34,35,36,37,38,39から構成されている。そして、隣接する長方形状の面30〜39は、それぞれ折り畳み部３Ｘで区切られており、第１の折り畳み部３ａは山折り、第２の折り畳み部３ｂは谷折り、・・・と、交互に逆方向に折り畳むようにして、折り畳み部が形成されている。各折り畳み部３Ｘに沿って、切欠き部Ｑが設けられている。この切欠き部Ｑは、折り畳み部３Ｘの両端と中央部を残して、２カ所に設けられている。このような切欠き部Ｑを設けることで、折り畳みが容易になる。また、折り畳み部３Ｘの中央部を残しておくことで、充填部材３の強度を維持することができる。
前記折り畳み部３Ｘを形成するときは、例えば、図８に示したように、段ボールの中間層の波状構造を押しつぶしたり、山折りになる側から切り込みを入れたりして、前記各折り畳み部を形成する。なお、この段ボール材の中間層の波状構造の方向Ｘと、前記各折り畳み部（折り目）の方向Ｙは、互いにほぼ直交する向きに設定され、緩衝部材２の充填部材３を構成する状態では、前記波状構造の方向Ｘが、梱包部材１を構成する各面15,16,17,18,19にほぼ垂直な方向に設定されている。したがって、物品Ｐと前記各面15,16,17,18,19との間に介在する緩衝部材２（２Ａ，２Ｂ）が緩和すべき衝撃の方向は、前記波状構造の方向Ｘと一致し、十分な強度の緩衝機能が得られる。
このように、充填部材３は一枚の長方形状の段ボール材から構成することにより、充填したときに筒状部材４から個別に抜け落ち難くなるという効果が得られる。
【実施例１】
【００１６】
実施例１では、図１に示したように、梱包する物品の形状に応じて、長い緩衝部材２Ａを４個、短い緩衝部材２Ｂを４個配設した。また、充填部材３は１０面を蛇腹状に折り畳んで構成した。
【実施例２】
【００１７】
実施例２の緩衝部材２Ｃでは、図９に示したように、筒状部材を構成する４つの面を含んだ部分４Ｃと、充填部材を構成する１２の面を含んだ部分３Ｃとが連続した１枚の長方形状の段ボール材で形成されている。
【実施例３】
【００１８】
実施例３では、図１０に示した緩衝部材２Ｂのように、充填部材３Ｂの波状構造の方向Ｘが、梱包部材１を構成する各面15,16,17,18,19にほぼ平行な方向になるように固着してもよい。この場合には、緩衝部材２Ｂは、図２、図５に示した緩衝部材２に比較して弾力が増すので、よりソフトな緩衝機能を得ることができる。
【図面の簡単な説明】
【００１９】
【図１】本発明にかかる梱包部材の組み立て途中の状態の全体斜視図である。
【図２】前記梱包部材の要部拡大斜視図である。
【図３】梱包状態の前記梱包部材の断面図である。
【図４】前記梱包部材の組み立て前の状態（展開状態）の斜視図である。
【図５】前記梱包部材の要部拡大斜視図である。
【図６】本発明にかかる緩衝部材の斜視図である。
【図７】前記緩衝部材の分解斜視図である。
【図８】充填部材の展開状態の平面図である。
【図９】実施例２の緩衝部材の、折り畳み途中の側面図である。
【図１０】実施例３の緩衝部材の斜視図である。
【符号の説明】
【００２０】
１  梱包部材
２  緩衝部材
３  充填部材
４  筒状部材
Ｐ  物品                                                                                
【図１】
2007204071.tif 000003
【図２】
2007204071.tif 000004
【図３】
2007204071.tif 000005
【図４】
2007204071.tif 000006
【図５】
2007204071.tif 000007
【図６】
2007204071.tif 000008
【図７】
2007204071.tif 000009
【図８】
2007204071.tif 000010
【図９】
2007204071.tif 000011
【図１０】
2007204071.tif 000012